(57)【要約】【課題】会議室等の閉じた室内に設置された表示装置に対し、ユーザが画面の情報を画面から一旦消去する操作を行う必要がなく、のぞき見による情報漏洩を防止することが可能な情報表示システムを提供する。【解決手段】表示装置１と、表示装置１に接続され、表示装置１の画面上に表示する情報を表示装置１に出力する情報処理装置２と、表示装置１が設置された部屋のドアの開閉状態を検出し、検出結果を前記情報処理装置に送信する開閉検出手段（ドアセンサ３で例示）とを備える。情報処理装置２は、開閉検出手段からの検出結果が閉状態から開状態になったときに、その時点で表示装置１の画面全体に表示中の内容の情報を表示装置１の画面上から消去する表示消去手段を有する。【選択図】図１
2009042644.tif 000002
【特許請求の範囲】
【請求項１】
表示装置と、該表示装置に接続され、前記表示装置の画面上に表示する情報を前記表示装置に出力する情報処理装置とを備える情報表示システムであって、前記表示装置が設置された部屋のドアの開閉状態を検出し、検出結果を前記情報処理装置に送信する開閉検出手段を備え、前記情報処理装置は、前記開閉検出手段からの検出結果が閉状態から開状態になったときに、その時点で前記表示装置の画面全体に表示中の内容の情報を前記表示装置の画面上から消去する表示消去手段を有することを特徴とする情報表示システム。
【請求項２】
請求項１に記載の情報表示システムにおいて、前記表示消去手段は、前記消去の実行と共に、該消去の対象となる情報の縮小画像を生成して前記表示装置の画面隅に表示させることを特徴とする情報表示システム。
【請求項３】
請求項１に記載の情報表示システムにおいて、前記表示消去手段は、前記開閉検出手段からの検出結果が閉状態から開状態になったときに、その時点で前記表示装置の画面全体に表示中の内容の情報を前記表示装置の画面上から消去し、さらに、該消去の対象となる情報から予め区分された表示領域毎に縮小画像を生成して、対応する表示領域の隅に表示させることを特徴とする情報表示システム。
【請求項４】
請求項２又は３に記載の情報表示システムにおいて、前記表示消去手段は、前記縮小画像の表示を行ってから所定時間経過したときに、前記縮小画像を前記表示装置の画面上から消去することを特徴とする情報表示システム。
【請求項５】
請求項３又は４に記載の情報表示システムにおいて、前記表示消去手段で前記消去を実行させるか否かを、前記表示領域毎に設定する操作をユーザから受付け、該設定を行う設定手段を備えたことを特徴とする情報表示システム。
【請求項６】
請求項５に記載の情報表示システムにおいて、前記設定手段は、前記表示領域の区分けを任意に設定する操作をユーザから受付け、該設定を行う区分設定手段を有することを特徴とする情報表示システム。
【請求項７】
請求項１〜６のいずれか１項に記載の情報表示システムにおいて、前記情報処理装置は記憶部を有し、前記表示消去手段は、前記消去の対象となる情報を前記記憶部に格納し、前記情報処理装置は、前記表示消去手段で前記消去を行った後に、前記開閉検出手段からの検出結果が開状態から閉状態になったときに、前記消去の対象となった情報を前記記憶部から読み出して前記表示装置に再表示させる再表示手段を有することを特徴とする情報表示システム。
【請求項８】
請求項２〜６のいずれか１項に記載の情報表示システムにおいて、前記表示装置の画面上の表示を消去する消去指示を、ユーザから受付ける消去指示受付手段を備え、前記表示消去手段は、前記消去指示受付手段で前記消去指示が受付けられている場合、前記縮小画像を表示させた後に、前記縮小画像の表示を消去させることを特徴とする情報表示システム。
【請求項９】
請求項７に記載の情報表示システムにおいて、前記表示装置の画面上の表示を消去する消去指示及びその解除指示を、ユーザから受付ける消去指示受付手段を備え、前記再表示手段は、前記消去指示受付手段で消去指示を受け付けてから解除指示を受け付けるまでは、前記再表示を実行しないことを特徴とする情報表示システム。
【請求項１０】
請求項７に記載の情報表示システムにおいて、前記表示消去手段で前記消去を行った表示領域に対し、前記消去を解除する操作を受け付ける解除指示受付手段を備え、前記再表示手段は、前記開閉検出手段からの検出結果に関係なく、前記解除指示受付手段で解除指示を受け付けた表示領域に対し前記再表示を実行することを特徴とする情報表示システム。
【請求項１１】
請求項７に記載の情報表示システムにおいて、前記表示消去手段で前記消去を行った表示領域の全てに対し、前記消去を解除する操作を受け付ける第２の解除指示受付手段を備え、前記再表示手段は、前記開閉検出手段からの検出結果に関係なく、前記第２の解除指示受付手段で解除指示を受け付けたとき全ての表示領域に対し前記再表示を実行することを特徴とする情報表示システム。
【請求項１２】
請求項１〜１１のいずれか１項に記載の情報表示システムにおいて、前記部屋の外側のドア表面又は前記部屋の外側のドア近辺に設置され、個人の識別情報の記録された媒体から該識別情報を読取って認証を実行する認証装置と、該認証が成功した場合のみ前記ドアの錠を解除する解錠手段とを備え、前記開閉検出手段は、前記認証装置の認証結果を前記検出結果として前記情報処理装置に送信する手段、或いは前記解錠手段の解錠結果を前記検出結果として前記情報処理装置に送信する手段であることを特徴とする情報表示システム。
【請求項１３】
請求項１２に記載の情報表示システムにおいて、前記情報処理装置は、前記認証装置で認証された個人が、現在、前記部屋への入室予定がある入室者であるか否かを判定する判定手段を有し、前記表示消去手段は、前記判定手段の判定結果が入室予定がない入室者であると判定された場合のみ、前記消去を含む処理を実行することを特徴とする情報表示システム。
【請求項１４】
請求項１〜１３のいずれか１項に記載の情報表示システムにおいて、前記消去は、消去対象となる情報の出力の停止、或いは代替情報の出力により、実行することを特徴とする情報表示システム。
【発明の詳細な説明】
【技術分野】
【０００１】
本発明は、情報表示システムに関し、より詳細には会議室等の室内で用いるための表示装置を備えた情報表示システムに関する。
【背景技術】
【０００２】
表示装置を備えた情報表示システムにおいては、その表示画面が第三者によってのぞき見され、画面上の情報が漏洩することを防止する必要が生ずることがある。このような漏洩防止策として、従来から、ユーザが特定の操作をすることにより画面を瞬時に消去し、その後画面再表示操作を行うことによって画面消去前の表示状態を再表示する、といった操作がなされている。
【０００３】
例えば、特許文献１には、特定のキー操作により強制的にスクリーンセーバーを起動することにより、表示画面機密を保護する方式が開示されている。
【特許文献１】特開平７−２９５５３１号公報
【発明の開示】
【発明が解決しようとする課題】
【０００４】
しかしながら、特許文献１に記載の技術をはじめとする従来の技術では、上述のごとき漏洩防止のために、元々画面表示していた情報をユーザ操作により消去（スクリーンセーバー起動による消去も含む）しなければならない。従って、ユーザが素早く当該指示操作を行う必要があり、これが遅れると情報漏洩の可能性がある。また、画面再表示のためには毎回ユーザが再表示指示を行う必要があり、煩わしいといった問題もある。
【０００５】
本発明は、上述のごとき実状に鑑みてなされたものであり、会議室等の閉じた室内に設置された表示装置に対し、ユーザが画面の情報を画面から一旦消去する操作を行う必要がなく、のぞき見による情報漏洩を防止することが可能な情報表示システムを提供することを、その目的とする。
【０００６】
また、本発明は、会議室等の閉じた室内に設置された表示装置に対し、ユーザが、画面の情報を画面から一旦消去する操作及びその後元々画面表示していた情報を再表示する操作を行う必要がなく、のぞき見による情報漏洩を防止することが可能な情報表示システムを提供することを、他の目的とする。
【課題を解決するための手段】
【０００７】
上述のごとき課題を解決するために、本発明の第１の技術手段は、表示装置と、該表示装置に接続され、前記表示装置の画面上に表示する情報を前記表示装置に出力する情報処理装置とを備える情報表示システムであって、前記表示装置が設置された部屋のドアの開閉状態を検出し、検出結果を前記情報処理装置に送信する開閉検出手段を備え、前記情報処理装置は、前記開閉検出手段からの検出結果が閉状態から開状態になったときに、その時点で前記表示装置の画面全体に表示中の内容の情報を前記表示装置の画面上から消去する表示消去手段を有することを特徴としたものである。
【０００８】
第２の技術手段は、第１の技術手段において、前記表示消去手段は、前記消去の実行と共に、該消去の対象となる情報の縮小画像を生成して前記表示装置の画面隅に表示させることを特徴としたものである。
【０００９】
第３の技術手段は、第１の技術手段において、前記表示消去手段は、前記開閉検出手段からの検出結果が閉状態から開状態になったときに、その時点で前記表示装置の画面全体に表示中の内容の情報を前記表示装置の画面上から消去し、さらに、該消去の対象となる情報から予め区分された表示領域毎に縮小画像を生成して、対応する表示領域の隅に表示させることを特徴としたものである。
【００１０】
第４の技術手段は、第２又は第３の技術手段において、前記表示消去手段は、前記縮小画像の表示を行ってから所定時間経過したときに、前記縮小画像を前記表示装置の画面上から消去することを特徴としたものである。
【００１１】
第５の技術手段は、第３又は第４の技術手段において、前記表示消去手段で前記消去を実行させるか否かを、前記表示領域毎に設定する操作をユーザから受付け、該設定を行う設定手段を備えたことを特徴としたものである。
【００１２】
第６の技術手段は、第５の技術手段において、前記設定手段は、前記表示領域の区分けを任意に設定する操作をユーザから受付け、該設定を行う区分設定手段を有することを特徴としたものである。
【００１３】
第７の技術手段は、第１〜第６のいずれかの技術手段において、前記情報処理装置は記憶部を有し、前記表示消去手段は、前記消去の対象となる情報を前記記憶部に格納し、前記情報処理装置は、前記表示消去手段で前記消去を行った後に、前記開閉検出手段からの検出結果が開状態から閉状態になったときに、前記消去の対象となった情報を前記記憶部から読み出して前記表示装置に再表示させる再表示手段を有することを特徴としたものである。
【００１４】
第８の技術手段は、第２〜第６のいずれかの技術手段において、前記表示装置の画面上の表示を消去する消去指示を、ユーザから受付ける消去指示受付手段を備え、前記表示消去手段は、前記消去指示受付手段で前記消去指示が受付けられている場合、前記縮小画像を表示させた後に、前記縮小画像の表示を消去させることを特徴としたものである。
【００１５】
第９の技術手段は、第７の技術手段において、前記表示装置の画面上の表示を消去する消去指示及びその解除指示を、ユーザから受付ける消去指示受付手段を備え、前記再表示手段は、前記消去指示受付手段で消去指示を受け付けてから解除指示を受け付けるまでは、前記再表示を実行しないことを特徴としたものである。
【００１６】
第１０の技術手段は、第７の技術手段において、前記表示消去手段で前記消去を行った表示領域に対し、前記消去を解除する操作を受け付ける解除指示受付手段を備え、前記再表示手段は、前記開閉検出手段からの検出結果に関係なく、前記解除指示受付手段で解除指示を受け付けた表示領域に対し前記再表示を実行することを特徴としたものである。
【００１７】
第１１の技術手段は、第７の技術手段において、前記表示消去手段で前記消去を行った表示領域の全てに対し、前記消去を解除する操作を受け付ける第２の解除指示受付手段を備え、前記再表示手段は、前記開閉検出手段からの検出結果に関係なく、前記第２の解除指示受付手段で解除指示を受け付けたとき全ての表示領域に対し前記再表示を実行することを特徴としたものである。
【００１８】
第１２の技術手段は、第１〜第１１のいずれかの技術手段において、前記部屋の外側のドア表面又は前記部屋の外側のドア近辺に設置され、個人の識別情報の記録された媒体から該識別情報を読取って認証を実行する認証装置と、該認証が成功した場合のみ前記ドアの錠を解除する解錠手段とを備え、前記開閉検出手段は、前記認証装置の認証結果を前記検出結果として前記情報処理装置に送信する手段、或いは前記解錠手段の解錠結果を前記検出結果として前記情報処理装置に送信する手段であることを特徴としたものである。
【００１９】
第１３の技術手段は、第１２の技術手段において、前記情報処理装置は、前記認証装置で認証された個人が、現在、前記部屋への入室予定がある入室者であるか否かを判定する判定手段を有し、前記表示消去手段は、前記判定手段の判定結果が入室予定がない入室者であると判定された場合のみ、前記消去を含む処理を実行することを特徴としたものである。
【００２０】
第１４の技術手段は、第１〜第１３のいずれかの技術手段において、前記消去は、消去対象となる情報の出力の停止、或いは代替情報の出力により、実行することを特徴としたものである。
【発明の効果】
【００２１】
本発明によれば、会議室等の閉じた室内に設置された表示装置に対し、ユーザが画面の情報を画面から一旦消去する操作を行う必要がなく、のぞき見による情報漏洩を防止することが可能となる。
【００２２】
また、本発明の他の形態によれば、ユーザが、画面の情報を画面から一旦消去する操作やその後元々画面表示していた情報を再表示する操作を行う必要がなく、のぞき見による情報漏洩を防止することが可能となる。
【発明を実施するための最良の形態】
【００２３】
本発明に係る情報表示システムは、表示装置（ディスプレイ装置）と、その表示装置に接続され、その表示装置の画面上に表示する情報をその表示装置に出力する情報処理装置とを備えたシステムである。画面上に表示する情報は、一般的に情報を画像化した画像データの信号として情報処理装置から表示装置に伝送されることとなる。また、表示装置で表示させる情報は情報処理装置において処理された情報であるため、この情報表示システムは情報処理システムとも呼べる。
【００２４】
また、本発明に係る情報表示システムでは、表示装置を、会議室等、ドアのある閉じた室内に設置されて使用する。一般的に情報処理装置側もこの室内に設けられるものとするが、別室に設けられていてもよい。なお、別室に情報処理装置が設けられている場合には、ユーザ操作を必要とする後述の一部の実施形態では、操作部を表示装置に埋め込むか接続するなどの構成を採用しておくとよい。そして、様々な実施形態として後述するように、ドアの開閉に基づき画面の表示内容を制御して、表示画面の消去、或いは消去及び縮小画像表示を行うことで、部外者等がのぞき見できることを防止するものである。以下、本発明に係る情報表示システムが会議室で利用されるものとして説明するが、当然、他の用途で用いる部屋であっても適用できる。
【００２５】
（実施形態１）
図１は、本発明の一実施形態に係る情報表示システムの構成例を示す概略図である。また、図２は、図１の情報表示システムの構成例を示すブロック図で、図１における情報処理装置の内部構成例を示すブロック図である。
【００２６】
本発明の一実施形態に係る情報表示システム（以下、本システムという）は、表示装置１と、情報を表示装置１の画面上に表示する機能を有する情報処理装置２と、ドアが開いたことに応じてドアオープン信号を情報処理装置２に送信する機能を有するドアセンサ３とが、会議室に設置されてなる。
【００２７】
表示装置１としては、ＬＣＤ（Liquid Crystal Display）、プラズマディスプレイ（Plasma Display Panel）、電界放出ディスプレイ（Field Emission Display）、表面伝導型電子放出素子ディスプレイ（Surface-conduction Electron-emitter Display）、有機ＥＬディスプレイ（Organic Electroluminescence Display）など、様々な表示方式の表示装置を適用することができる。表示装置１を会議室に設置する場合には、部屋の広さや視聴者の多さなどから、大型の表示画面をもつものであることが好ましい。
【００２８】
情報処理装置２としては、パーソナルコンピュータ（ＰＣ）やサーバコンピュータなどが適用できる。また、表示装置１内に情報処理装置２が物理的に収納された構成を採用してもよい。図２で例示する情報処理装置２は、表示装置１と接続するための表示装置用コネクタ２０と、表示装置用コネクタ２０を介して表示装置１に表示するための信号（画像信号）を表示装置１に送信する表示インタフェース２１と、ユーザからの指示操作を受付け入力する操作部２２と、ネットワーク通信ケーブルを接続するためのＬＡＮコネクタ２３と、ネットワークを介した通信の制御を行うＬＡＮインタフェース２４と、外部装置（この例ではドアセンサ３）との通信の制御を行う通信インタフェース２５と、外部装置との通信ケーブルを接続するための通信コネクタ２６と、処理プログラムやデータを記憶するための記憶部２８と、記憶部２８に格納された処理プログラムを実行するためのＣＰＵ（Central Processing Unit）等の中央演算処理部２７と、を備える。また、情報処理装置２は、後述の画面ロック指示受付部２９を備えてもよい。
【００２９】
操作部２２としては、マウスやキーボード、或いは表示装置１の表示画面に搭載したタッチパネルなども採用できる。記憶部２８としては、例えばオペレーションシステム（ＯＳ）を記憶したＲＯＭ（Read Only Memory）、本発明に係る処理プログラムを含む他の処理プログラムやデータ（表示装置１での表示対象となるデータも含む）を記憶したハードディスクドライブ（ＨＤＤ）、さらにはそれらプログラムの実行領域（作業領域）としてのＲＡＭ（Random Access Memory）などで構成すればよい。
【００３０】
ドアセンサ３は、ドアが開いたときに（開いたことを検出し）、ドアオープン信号を情報処理装置２に送信する。このドアセンサ３は、表示装置１が設置された会議室のドアの開閉状態を検出し、検出結果を情報処理装置２に送信する開閉検出手段の一例である。
【００３１】
本システムにおける情報処理装置２は、本発明の主たる特徴として、次の表示消去手段を有するものとする。この表示消去手段は、ドアセンサ３からドアオープン信号を受信したときに、その時点で表示装置１の画面全体に表示中の内容の情報を記憶部２８に格納し、その情報を表示装置１の画面上から消去する手段である。この表示消去手段は、主として記憶部２８に格納された処理プログラムとして実装される。そして、中央演算処理部２７がこの処理プログラムが読み出して実行し、情報処理装置２の各部を制御することで、情報処理装置２を表示消去手段として機能させる。
【００３２】
ここで、表示消去手段は、その時点で表示中の内容の情報（すなわち、その時点で表示中の画像を表示装置１の画面に表示させるために情報処理装置２が出力する画像信号の元となる情報）を記憶部２８に格納している。但し、この格納は後述の再表示を実行するまでの情報待避のために行うため、再表示を考慮しなければ記憶部２８への格納は行わなくてもよい。また、この時の格納先となる記憶部２８としては、ＨＤＤやＥＥＰＲＯＭ（Electrically Erasable and Programmable ROM）等の不揮発性メモリに限らず、情報処理装置２自体は電源がオフされる訳ではないので揮発性メモリであっても構わない。
【００３３】
また、表示消去手段における消去は、消去対象となる情報の表示装置１への出力の停止によって実行することが好ましく、代替情報（代替画像）の表示装置１への出力、すなわち他の情報との置き換えにより実行してもよい。
【００３４】
このような表示消去手段により、会議室のドアが開かれた時点で表示装置１上に表示中の画面全体が消去されることとなり、ユーザが操作を行うことなく、第三者への情報漏洩を防止することができる。
【００３５】
上述のごとき構成をもつ本システムにおいて実行される表示消去処理の流れを説明する。図３は、図１及び図２の情報表示システムにおける表示消去処理の一例を説明するためのフロー図で、図４は、図３の表示消去処理の実行前後の画面例を示す図である。
【００３６】
まず会議室のドアが開けられたことに伴い、ドアセンサ３が、ドアが開けられたことを検知して、ドアオープン信号を情報処理装置２へ送信する。情報処理装置２では、そのドアオープン信号を通信コネクタ２６を介して通信インタフェース２５が受信すると（ステップＳ１）、中央演算処理部２７が、図４の上段の情報１１ａのような現在表示中の画面全体の内容の情報を、記憶部２８に格納し（ステップＳ２）、画面全体を消去させる制御を行う（ステップＳ３）。なお、ステップＳ２，Ｓ３の順序は問わない。
【００３７】
このように、会議室のドアが開けられたことに応じて表示装置１の画面全体を消去することにより、ユーザが操作を行うことなく、第三者への情報漏洩を防止することができる。なお、図４上段においては、情報１１ａの画像領域がグレー色で図示した背景上に表示された例を示しているが、このグレー色の背景は情報を出力していない領域であり、実際にはこの背景は黒色となる。
【００３８】
但し、本発明の構成上、画面全体を消去するに際し、見た目には例えば背景画像のみを表示したままにすることも可能である。そのとき、情報処理装置２では、上述した代替情報（代替画像）の表示装置１への出力により、消去を実行したこととなる。
【００３９】
ステップＳ３の処理の時点で第三者への情報漏洩は防止できるが、突然画面表示が全部消える（代替画像表示時には一部消える）こととなるため、本システムのユーザ（例えばプレゼンテーションを行っている者やシステム管理者）や本システムを体験したことのない会議出席者（会議参加者）が、トラブルが発生したと誤認してしまうこともある。また、漏洩防止のために、消去前の内容がどのようなものであったかも分からなくなる。従って、第三者である入室者には視認し難い状態で、出席者への配慮も行うことが好ましい。
【００４０】
そのため、中央演算処理部２７は、画面全体の縮小画像を生成（作成）して、図４の下段の情報１１ｂのように、画面隅に表示させるように表示インタフェース２１を介して表示装置１に出力する（ステップＳ４）。縮小画像は、ドアオープン信号受信時まで出力してあった情報から直接生成してもよいが、その情報を記憶部２８に格納した後に読み出して、その情報を元に生成してもよい。縮小率等は所定の値を採用するとよく、その値も操作部２２からユーザ設定可能としておくとよい。なお、図４下段においては、縮小された情報１１ｂの画像領域を、グレー色で図示した背景（情報未出力領域）上の右下隅に表示した例を示しているが、四隅のいずれかに表示すればよく、複数の隅に同じ情報１１ｂを表示してもよい。さらに、情報１１ｂは画面の隅にきっちり合わせるように表示する必要は必ずしもなく、画面端から多少の情報未出力領域をもたせて表示してもよい。
【００４１】
このように、表示消去手段は、ドアオープン信号を受信したときに、消去の実行と共に、その消去の対象となる情報の縮小画像を生成して、表示装置１の画面隅に表示させる（表示するよう出力を行う）ことが好ましい。画面消去後に、消去された内容の縮小表示されることにより、会議参加者が本システムでトラブルが発生した誤認することを防止できると共に、消去前の内容がどのようなものであったか会議参加者が把握できる。さらに、入室者（侵入者）に対して後述する再表示を実行して問題ないか否かを判断するための参考にすることができる。
【００４２】
ここで、縮小画像の表示は継続して実行しなくても上述の目的は果たせる。従って、情報処理装置２は、表示装置１の画面上の表示（縮小画像の表示）を消去する消去指示をユーザから受付ける消去指示受付手段を備えることが好ましい。画面ロック指示受付部２９は、この消去指示受付手段の一例として挙げている。画面ロック指示受付部２９は、操作部２２の一部であると言え、実際には操作部２２に含めて実装されることとなる。なお、この画面ロック指示受付部２９は、表示装置１のフレーム上にボタンとして設けてもよい。
【００４３】
そして、表示消去手段は、画面ロック指示受付部２９で消去指示を受付けられている場合、縮小画像を表示させた後に、その指示に従い縮小画像の表示を消去させ、それにより画面の非表示状態を維持させる。縮小画像の表示から縮小画像の消去までの期間は、デフォルトの所定時間又はユーザ設定された時間とすればよい。また、消去指示受付手段を備えない形態においても、表示消去手段は、縮小画像の表示を行ってから所定時間経過したときに、縮小画像を表示装置１の画面上から消去するよう構成することが好ましい。この構成のみ、すなわち消去指示受付手段を備えず単に縮小画像の表示開始時点から所定時間経過後に縮小画像を消去するだけでも、上述の目的は果たせ、侵入者が縮小画像をのぞき見することによる情報漏洩を防止することができる。
【００４４】
このような消去指示に基づく縮小画像の消去を実行するために、ステップＳ４の後、情報処理装置２の中央演算処理部２７は、上述の表示消去処理が行われた時点（すなわち縮小画像表示処理が行われた時点）を起点として計時を開始し、予め設定済みの所定時間を経過したか否かを判定する（ステップＳ５）。
【００４５】
ステップＳ５で所定時間を経過していないと判定されている間、中央演算処理部２７は、画面ロック指示受付部２９で既に消去指示があったか否か、すなわち画面ロックが指示されているか否かの判定を行う（ステップＳ８）。
【００４６】
そして、画面ロック指示（消去指示）されている場合は（ステップＳ８のＹＥＳ）、ステップＳ５の処理に戻る。そして、所定時間経過した時点で（ステップＳ５のＹＥＳ）、、中央演算処理部２７は、縮小画像が表示中か否かを判定する（ステップＳ６）。表示中であった場合（ステップＳ６のＹＥＳ）、中央演算処理部２７は、表示インタフェース２１を介して表示されている縮小画像の出力を停止して、画面上の縮小画像を消去させる（ステップＳ７）。このように、画面をロックするための指示を受付けている場合、縮小画像を消去すると共に画面の非表示状態を維持することによって、画面ロックの状態の間は、ドアの開閉状態に関係なく非表示状態を維持することができ、より強固に情報漏洩を防止することができる。
【００４７】
また、このような画面ロック指示があった場合には所定時間後に縮小画像を消去し、画面ロック指示がなかった場合にはそのまま縮小画像を表示しておくこととなるが、入室者（侵入者）が退室した時点で入室前の元の表示に戻すことが好ましい。従って、情報処理装置２は、次の再表示手段を備えることが好ましい。
【００４８】
この再表示手段は、表示消去手段で消去を行った後に（縮小画像表示を行う形態ではその縮小画像表示も実行した後に）、開閉検出手段からの検出結果が開状態から閉状態になったときに、消去の対象となった情報を記憶部２８から読み出して表示装置１に再表示させる。なお、再表示手段を備えた形態においては、表示消去手段で消去の対象となる情報を記憶部２８に格納しておくものとする。
【００４９】
また、ここで開状態から閉状態になったことの検出は、ドアセンサ３をドアが開状態のときには常にドアオープン信号を発するように構成しておき、そのドアオープン信号を受信しなくなったときを検出することで行う（ステップＳ９）。この構成では、ドアオープン信号を受信していないことはドアが閉じられたことを意味する。すなわち、ステップＳ８で、画面ロックが指示されていない場合は、ステップＳ９でドアオープン信号の受信が途切れるのを待つ。そして、ドアオープン信号を受信しなくなったとき、中央演算処理部２７が記憶部２８から消去対象の情報を読み出して、表示インタフェース２１を介して表示装置１に出力して再表示を行わせ（ステップＳ１０）、処理を完了する。
【００５０】
その他、ドアセンサ３が、ドアが閉じられたときに（ドアセンサ３がドアが閉じたことを検出して）ドアクローズ信号を情報処理装置２に送信するよう構成しておき、ドアクローズ信号を受信したことで、開状態から閉状態になったことを検出してもよい。また、ドアセンサ３を、ドアが開いたときにドアオープン信号を発し、ドアが閉じたときにドアクローズ信号を発するように構成してもよい。但し、通常ドアが閉められていることを鑑みると、最初に説明したように、ドアが開いている間、ドアオープン信号を発するようにしても問題ない。
【００５１】
このように、消去した画面全体の縮小画像を画面隅に表示した後、ドアが閉じられたことに基づいて、消去した画面を再表示することにより、会議参加者の手を煩わせることなく、自動的に画面を再表示できる。なお、この再表示手段は、ドアが閉められたことを入室者（侵入者）の退室とみなしているため、侵入者がドアを開けて直ぐに閉めて入室することもあるため、本システムの設置場所によってはこのような自動再表示を実行しないようにした方がよい場合もある。
【００５２】
また、画面ロック指示受付部２９で例示した消去指示受付手段は、表示装置１の画面上の表示を消去する消去指示だけでなく、その解除指示をユーザから受付け可能としておくとよい。但し、上述の再表示手段を具備しない形態においてはこのような解除指示自体不要である。そして、再表示手段は、消去指示受付手段で消去指示を受け付け解除指示を受け付けるまでは、再表示を実行しないようにすればよい。
【００５３】
なお、ステップＳ８でＮＯであった場合で、ステップＳ９，Ｓ１０の処理がなされる前（ドアオープン信号待ち）に、画面ロック指示受付部２９で消去指示を受け付けたときには、表示中の縮小画像を即消去するようにしてもよいし、ステップＳ５の判定を再度実行して消去指示受付から所定時間後に表示中の縮小画像を消去してもよい。また、所定時間が経過する前に、画面ロックの解除を検出した場合にはステップＳ９へ進むようにすればよい。
【００５４】
なお、会議室にドアが複数ある場合にはいずれの開閉状態も検出しておき、いずれかのドアが開いたときに表示消去手段が上述の表示消去処理を実行すればよい。なお、開閉検出手段としては、ドアが開いたときにドアオープン信号を送信するドアセンサ３を挙げたが、どのような開閉検出手段を採用した場合であっても、表示消去手段は、開閉検出手段からの検出結果が閉状態から開状態になったときに上述の格納及び消去等の処理を実行すればよい。
【００５５】
（実施形態２）
図５は、図１及び図２の情報表示システムにおける表示消去処理の他の例を説明するためのフロー図で、図６は、図５の表示消去処理の実行前後の画面例を示す図である。上述した実施形態１では、表示装置１の表示画面上の全ての領域に対して消去及び縮小画像表示処理を行ったが、本発明の他の実施形態として、全表示領域を複数に分割した個々の表示領域に対してそれぞれの縮小画像を生成して表示させてもよい。
【００５６】
本実施形態における表示消去手段は、開閉検出手段からの検出結果が閉状態から開状態になったときに、その時点で表示装置１の画面全体に表示中の内容の情報を表示装置１の画面上から消去し、さらに、その消去の対象となる情報から予め区分された表示領域毎に縮小画像を生成して、対応する表示領域の隅に表示させる。
【００５７】
上述のごとき構成をもつ本システムにおいて実行される表示消去処理の流れを説明する。まずステップＳ１と同様に、会議室のドアが開けられたことに伴い、情報処理装置２は、ドアオープン信号を受信する（ステップＳ２１）。この受信に基づき、中央演算処理部２７が、図４の上段の情報１２ａ〜１２ｄのような現在表示中の画面全体の内容の情報を、記憶部２８に格納し（ステップＳ２２）、画面全体（すなわち各表示領域）を消去させる制御を行う（ステップＳ２３）。なお、ステップＳ２２，Ｓ２３の順序は問わない。また、記憶部２８への格納は、情報１２ａ〜１２ｄのような予め区分（分割）された表示領域単位で実行するとよい。
【００５８】
そして、中央演算処理部２７は、各表示領域（各画面領域）の縮小画像を生成（作成）して、図６の下段の情報１２ｅ〜１２ｈのように、各表示領域の画面隅に表示させるように表示インタフェース２１を介して表示装置１に出力する（ステップＳ２４）。縮小画像は、ドアオープン信号受信時まで出力してあった情報から直接、予め区分された表示領域に分けてから各表示領域分、生成してもよいが、表示領域単位で情報を記憶部２８に格納した後に読み出して、その情報を元に各表示領域分、生成してもよい。縮小率や、隅への表示の方法は、実施形態１で説明したような応用が採用でき、全画面ではなくいずれも各表示領域に対して採用すればよい。
【００５９】
実際、実施形態１のように、縮小画像の内容が縮小前の画像に対して相対的に小さすぎると、内容を把握し難いこともあるが、本実施形態のように表示装置１の予め区分された領域単位で縮小表示することにより、相対的に各領域の消去前の内容を把握し易くなる。さらに、表示装置１において元々複数のソースからの画像を分割表示している場合には、その分割領域を予め区分された表示領域として取り扱っても有用となる。
【００６０】
そして、ステップＳ２４の後、ステップＳ５〜Ｓ１０と同様の処理を実行すればよい（ステップＳ２５〜Ｓ３０）。ここで、ステップＳ３０における再表示処理では、ドアオープン信号を受信しなくなったとき、中央演算処理部２７が記憶部２８から消去対象の情報（予め区分された表示領域全ての情報）を読み出して、表示インタフェース２１を介して表示装置１に出力して、各表示領域に対して再表示を行わせる。他の方法として、記憶部２８には、消去対象の情報をそのまま（すなわち画面全体の情報として）記憶させておき、再表示する場合にはその情報をそのまま読み出して再表示を行ってもよい。
【００６１】
（実施形態３）
図７は、図１及び図２の情報表示システムにおける表示消去処理の他の例を説明するためのフロー図で、図８は、図７の表示消去処理の実行前後の画面例を示す図である。また、図９は、図７における表示消去処理の領域設定処理で表示される領域設定ダイアログの例を示す図である。
【００６２】
上述した実施形態２では、全表示領域を複数に分割した個々の表示領域に対してそれぞれの縮小画像を生成して表示させたが、本発明の他の実施形態として、個々の表示領域に対して消去・縮小画像表示を実行させる領域と実行させない領域とをもたせるように、ユーザ設定可能としてもよい。
【００６３】
本実施形態における情報処理装置２は、表示消去手段で消去を実行させるか否か（すなわち格納・消去・縮小画像表示を実行させるか否か）を、表示領域毎に設定する操作をユーザから受付け、その設定を行う設定手段を備える。この設定手段は、設定操作を受け付ける操作部２２と、その設定を記憶する記憶部２８とで例示できる。例えば、記憶部２８に、各表示領域において画面消去を実行する際（画面消去モード時）に各表示領域を表示又は非表示に設定するためのテーブルを記憶しておけばよい。このとき上述の設定手段は、このテーブルと、テーブルの値を設定するためのユーザインタフェースである操作部２２と合わせてテーブル値設定手段であると言える。なお、この設定手段の操作を受け付ける部分は、表示装置１のフレーム上にボタンとして設けてもよい。
【００６４】
上述のごとき構成をもつ本システムにおいて実行される表示消去処理の流れを説明する。まず本実施形態に係る情報表示システムが起動すると、中央演算処理部２７が、領域設定処理を呼び出して実行する（ステップＳ４１）。ここでも、実施形態２と同様に図８の上段の情報１３ａ〜１３ｄのように４分割された表示領域を前提とすると、ステップＳ４１では、図９で例示するような予め記憶部２８等に格納しておいた領域設定ダイアログ１４が呼び出され、表示装置１の画面上に表示させる。
【００６５】
このダイアログ１４によって、ユーザは、情報１３ａ〜１３ｄにそれぞれ対応するI〜IVの各領域毎に、表示設定にするか或いは非表示設定にするかのレベル設定を、ラジオボタンによって選択を操作部２２で行う。中央演算処理部２７は、その選択操作を受けて記憶部２８に設定内容を記憶する。図９では、領域IVのみが非表示設定とした例を示している。なお、ステップＳ４１の領域設定処理は、図１０のような処理を採用してもよく、その例は実施形態４として後述する。
【００６６】
まずステップＳ２１と同様に、会議室のドアが開けられたことに伴い、情報処理装置２は、ドアオープン信号を受信する（ステップＳ４２）。この受信に基づき、中央演算処理部２７は、図８の上段の情報１３ａ〜１３ｄのように分割された各表示領域（各画面領域）のそれぞれについて順番に、表示設定又は非表示設定のどちらのレベルに設定されているかを記憶部２８の設定内容から確認する（ステップＳ４３）。中央演算処理部２７では、この確認の結果、対象にしている表示領域（分割された情報に対応する領域）が非表示設定レベルであるか否かを判定する（ステップＳ４４）。
【００６７】
中央演算処理部２７は、ステップＳ４４でＮＯの場合、中央演算処理部２７が、全ての表示領域を確認したか否かの判定を行い（ステップＳ４８）、全領域の確認が終わっていない場合には、次の表示領域の確認を行うべく次の表示領域（例えば領域Iの次は領域IIなど）を指定して（ステップＳ４９）、ステップＳ４３の処理に戻る。全領域の確認が終わった場合には（ステップＳ４８のＹＥＳ）、ステップＳ５０の処理へ進む。
【００６８】
中央演算処理部２７は、ステップＳ４４でＹＥＳの場合、対象にしている表示領域の内容の情報（例えば領域IVの情報１３ｄ）を記憶部２８に格納し（ステップＳ４５）、その表示領域の情報のみを消去する（ステップＳ４６）。そして、当該表示領域の縮小画像を生成して、図８の下段の情報１３ｅ〜１３ｈ（ここでは情報１３ｈ）のように、当該表示領域（ここでは領域IV）の画面隅に表示させるように表示インタフェース２１を介して表示装置１に出力する（ステップＳ４７）。なお、ステップＳ４６，Ｓ４７の順序は問わない。また、縮小画像は、ドアオープン信号受信時まで出力してあった情報から直接、予め区分された表示領域に分けてから当該表示領域（ここでは領域IV）に対して生成してもよいが、表示領域単位で情報を記憶部２８に格納した後に読み出して、その情報を元に当該表示領域に対して生成してもよい。縮小率や、隅への表示の方法は、実施形態１で説明したような応用が採用でき、全画面ではなくいずれも各表示領域に対して採用すればよい。
【００６９】
そして、全ての表示領域のレベル確認及び必要に応じて縮小画像の表示が終了した時点（ステップＳ４８でＹＥＳ）で、ステップＳ５〜Ｓ１０（ステップＳ２５〜Ｓ３０）と同様の処理を実行すればよい（ステップＳ５０〜Ｓ５５）。ここで、ステップＳ５５における再表示処理では、ドアオープン信号を受信しなくなったとき、中央演算処理部２７が記憶部２８から消去対象の表示領域の情報を読み出して、表示インタフェース２１を介して表示装置１に出力して、その表示領域に対して再表示を行わせる。表示設定レベルが設定された表示領域に対しては表示中であり、結果として元の表示状態に戻る。他の方法として、記憶部２８には、消去対象の情報をそのまま（すなわち画面全体の情報として）記憶させておき、再表示する場合にはその情報をそのまま読み出して再表示を行ってもよい。
【００７０】
このように、本実施形態では、ドアオープン信号を受信すると、テーブル等の設定内容に基づいて、非表示に設定されている領域に表示中の画面内容の情報を、表示領域単位で記憶部２８に格納しておき、領域毎の画面を消去して消去した領域毎の画面の縮小画像を作成して、領域毎の画面隅に表示する。これにより、領域毎にドアが開けられた際に画面消去するか否かを設定できるため、予め機密レベルの高い領域を設定しておき、機密レベルの高い情報は当該領域のみに表示させるようにすることにより、漏洩防止が必要な情報のみを消去することが可能となる。
【００７１】
また、上述の設定手段は、格納・消去・縮小画像表示を一連のものとして取り扱って設定を行ったが、設定手段は、表示消去手段で縮小画像の生成及び表示を実行させるか、否か（すなわち縮小画像の生成及び表示を実行せずに格納及び消去のみを実行させるか）を、表示領域毎に設定する操作をユーザから受付けて設定を行うようにしてもよい。
【００７２】
（実施形態４）
図１０は、図７における表示消去処理の領域設定処理の一例を説明するためのフロー図で、図１１は、図１０における領域設定処理で表示される領域設定ダイアログの他の例を示す図である。また、図１２は、図１０の処理で領域区分け処理が実行された結果の画面例を示す図で、図７の表示消去処理の実行前後の画面例を示す図である。
【００７３】
上述した実施形態３では、個々の表示領域に対して消去・縮小画像表示を実行させる領域と実行させない領域とをもたせるように、ユーザ設定可能としたが、本発明の他の実施形態として、上述の設定手段で、その表示領域の境界線（すなわち分割の方法）をユーザ設定可能としてもよい。
【００７４】
そのため、本実施形態における設定手段は、表示領域の区分けを任意に設定する操作をユーザから受付けその設定を行う区分設定手段（領域区分け設定手段）を有するものとする。記憶部２８への設定記憶を実施形態３でのようにテーブルで行う場合には、そのテーブルに、領域を区分けするための区切り線の座標を表すパラメータを含んでおくとよい。そして、区切り線の座標を表すパラメータもテーブルで設定することによって、各表示領域の区分けを変更することができる。
【００７５】
上述のごとき構成をもつ本システムにおいて実行される表示消去処理の流れを説明する。まず本実施形態を適用した本システムが起動すると、図７のステップＳ４１のように、中央演算処理部２７が、領域設定処理を呼び出して実行する。この領域設定処理のサブルーチンでは、まず、領域区分け設定処理を行うか否かをユーザに選択させるためのダイアログ（図示せず）が表示される。ユーザが操作部２２からの選択し、これを中央演算処理部２７が受け、領域区分け設定処理を実行するか否かを判定する（ステップＳ６１）。
【００７６】
ステップＳ６１で領域区分け設定処理を行わない場合には、中央演算処理部２７が図９で例示したような領域設定ダイアログ１４を記憶部２８から呼び出し（ステップＳ６２）、表示装置１の画面上に表示させる。そして、実施形態３で説明したように、このダイアログ１４によって、図８の情報１３ａ〜１３ｄにそれぞれ対応するI〜IVの各領域毎に、表示設定にするか或いは非表示設定にするかのレベル設定を、ユーザから受付け、中央演算処理部２７は、その選択操作を受けて記憶部２８に設定内容を記憶する（ステップＳ６３）。ステップＳ６３の後は、呼び出し元の処理にリターンし図７のステップＳ４２へ移行することとなる。
【００７７】
ステップＳ６１で領域区分け設定処理を行う場合には、中央演算処理部２７が図１１で例示したような領域区分け設定ダイアログ１５を記憶部２８から呼び出し（ステップＳ６４）、表示装置１の画面上に表示させる。このダイアログ１５によって、図１２の情報１６ａ〜１６ｄ（現段階ではまだ区分け設定処理がなされていないため図８の情報１３ａ〜１３ｄが該当する）にそれぞれ対応するI〜IVの各領域毎に、表示設定にするか或いは非表示設定にするかのレベル設定を、ラジオボタンの選択によりユーザから受付け、中央演算処理部２７は、その選択操作を受けて記憶部２８に設定内容を記憶する（ステップＳ６５）。
【００７８】
さらにダイアログ１５では、Ｘ軸スライドバー１５ａ及びＹ軸スライドバー１５ｂを操作することによって、各領域の区切り線の座標を調整することで、表示領域の区分け設定が可能となっている。中央演算処理部２７は、ステップＳ６５の後、又はその前に、このスライドバー１５ａ，１５ｂの操作を操作部２２で受付け、その設定内容（Ｘ座標値及びＹ座標値）を記憶部２８に記憶する（ステップＳ６６，Ｓ６７）。なお、ステップＳ６５〜Ｓ６７の記憶処理は同時に行ってもよい。ステップＳ６６，Ｓ６７の処理の後、画面サイズの値をＸｍａｘ，Ｙｍａｘとすると、Ｘ軸スライドバー１５ａによって設定する区切り線のＸ座標値をＸとし、Ｙ軸スライドバー１５ｂによって設定する区切り線のＹ座標値をＹとして、領域I〜IVの座標値を以下のように設定して記憶部２８に記憶する（ステップＳ６８〜Ｓ７１）。
【００７９】
領域I  ：  （０，０）−（Ｘ，Ｙ）
領域II ：  （Ｘ，０）−（Ｘｍａｘ，Ｙ）
領域III：  （０，Ｙ）−（Ｘ，Ｙｍａｘ）
領域IV ：  （Ｘ，Ｙ）−（Ｘｍａｘ，Ｙｍａｘ）
【００８０】
そして、このような設定を行った後、処理サブルーチンを終了して、呼び出し元の処理にリターンし図７のステップＳ４２へ移行することとなる。例えばステップＳ６８〜Ｓ７１で、図１１で例示したような区分け設定を行った場合、領域単位画面消去前の表示装置１の画面上には、図１２の上段のように情報１６ａ〜１６ｄが表示されていることとなる。このとき、領域IVのみ非表示設定レベルと設定されていた場合には、図１２の下段の情報１６ｈのように領域IVのみ画面隅に縮小画像を表示させるように表示インタフェース２１を介して表示装置１に出力する。
【００８１】
本実施形態では、ドアが開けられた際に画面消去するか否かを設定する領域の区分け設定を行うことができるので、ユーザは、画面消去したい領域を大きく取るか又は小さく取るかの調節を行うことができる。
【００８２】
（実施形態５）
図１３は、図１及び図２の情報表示システムにおける表示消去処理の他の例を説明するためのフロー図である。上述した実施形態１〜４では、再表示を自動的に行うようにしたが、本発明の他の実施形態として、再表示手段による再表示を強制的にユーザが実行できるようにしてもよい。
【００８３】
そのため、本実施形態では、再表示手段を備えた情報処理装置２において、表示消去手段で消去を行った表示領域（或いはそこに含まれる縮小画像の表示領域、例えば図１２の情報１６ｈの表示部分）に対し、消去を解除する操作（以下、消去解除操作という）を受け付ける解除指示受付手段を備える。この解除指示受付手段は操作部２２で例示できる。なお、この解除指示受付手段は、表示装置１のフレーム上にボタンとして設け、情報処理装置２側に操作信号を送信するよう構成してもよい。特にタッチパネルを表示装置１に搭載し、縮小画像上をユーザ選択させることで、ユーザが望む表示領域の選択が容易となる。
【００８４】
そして、再表示手段は、開閉検出手段からの検出結果に関係なく、この解除指示受付手段で消去解除操作による解除指示を受け付けた表示領域に対し、再表示を実行するよう構成する。各表示領域に関し、それぞれの領域に対して上述の消去解除操作を行うことによって、各領域毎に画面を再表示することができる。特に、非表示設定の領域が複数存在した場合には、個々に再表示を実行させることができるため、有用である。
【００８５】
上述のごとき構成をもつ本システムにおいて実行される表示消去処理の流れを説明する。ここでは、実施形態４と同様の処理を行う場合について説明するが、実施形態２，３への適用は当然可能であり、さらに、実施形態１のように全画面で表示消去処理する場合にも全領域に対してなされる操作に応じて同様の処理を実行すればよい（但し、この場合、後述の実施形態６と同様の処理結果となる）。
【００８６】
まず、図１０で説明したような表示領域設定処理を呼び出して実行する（ステップＳ８１）。ステップＳ８１は図７のステップＳ４１と同様である。図７のステップＳ４２〜Ｓ４９と同様に、ドアオープン信号を受信した時点で縮小画像表示が必要な表示領域に対して縮小画像表示を行う（ステップＳ８２〜Ｓ８９）。
【００８７】
ここで、図６の下段に例示するように非表示である領域が複数存在するような状態となっていることを前提に説明する。ステップＳ８９に続き、中央演算処理部２７は操作部２２からの消去解除操作を待つ（ステップＳ９０）。ユーザは、再表示しても問題ないと判断した領域のみ再表示するために、操作部２２で当該領域の縮小画像をクリックする。このクリックは上述の消去解除操作の一例に該当する。
【００８８】
中央演算処理部２７はそのクリック操作を受け付け、これに基づいて、情報処理装置２は、縮小画像がクリックされたと判断すると（ステップＳ９０のＹＥＳ）、クリックされた当該表示領域（例えば左下領域の情報１２ｇに対応する縮小画像の領域）の、元の画面の再表示を行う（ステップＳ９１）。例えば、この再表示により、図１２下段において情報１２ｇを含む表示領域が図１２上段の情報１２ｃの画像に書き換わったものとなって、表示装置１で表示される。
【００８９】
続いて、図７のステップＳ５４，Ｓ５５（図３のステップＳ９，Ｓ１０）と同様に、ドアオープン信号の受信が途切れるのを待ち（ステップＳ９２）、途切れたときに、消去した全領域の画面の再表示を行い（ステップＳ９３）、処理を完了する。なお、ステップＳ８９に続き、並行してステップＳ５０〜Ｓ５３の処理を実行しながらドアオープン信号の受信を待ってもよい。
【００９０】
本実施形態では、ドアの開閉状態に関係なくユーザが任意の領域を指定して消去済み画面の再表示を行うことができるので、ユーザが再表示しても問題ないと判断した領域のみ再表示し、再表示すると問題があると判断した領域は引き続き非表示を維持することにより、効率よく情報漏洩防止ができる。
【００９１】
（実施形態６）
図１４は、図１及び図２の情報表示システムにおける表示消去処理の他の例を説明するためのフロー図である。上述した実施形態５は、各表示領域に対する操作として強制的にユーザが再表示を強制的に行えるようにしたが、本発明の他の実施形態として、個別に縮小画像表示がなされていた場合であっても、ユーザ操作により全画面に対して強制的に再表示が実行できるようにしてもよい。
【００９２】
そのため、本実施形態では、再表示手段を備え且つ表示領域毎の縮小画像表示処理を実行する情報処理装置２において、表示消去手段で消去を行った表示領域の全てに対し、消去を解除する操作（以下、第２の消去解除操作という）を受け付ける第２の解除指示受付手段を備える。この第２の解除指示受付手段は操作部２２で例示できる。なお、この第２の解除指示受付手段は、表示装置１のフレーム上にボタンとして設け、情報処理装置２側に操作信号を送信するよう構成してもよい。
【００９３】
そして、再表示手段は、開閉検出手段からの検出結果に関係なく、第２の解除指示受付手段で第２の消去解除操作による解除指示を受け付けたとき全ての表示領域に対し再表示を実行するよう構成する。各表示領域毎の縮小画像表示処理を行っている場合でも、実施形態５の消去解除操作とは異なる第２の消去解除操作を行うことによって、全ての非表示領域（縮小画像表示領域）の情報を画面を再表示することができる。特に、非表示設定の領域が複数存在した場合には、一度に全ての表示領域に対して再表示できるため、有用である。
【００９４】
上述のごとき構成をもつ本システムにおいて実行される表示消去処理の流れを説明する。ここでは、実施形態４と同様の処理を行う場合について説明するが、実施形態２，３への適用は当然可能であり、さらに、実施形態１のように全画面で表示消去処理する場合にも全領域に対してなされる操作に応じて同様の処理を実行すればよい。
【００９５】
まず、図１０で説明したような表示領域設定処理を呼び出して実行する（ステップＳ１０１）。ステップＳ１０１は図７のステップＳ４１と同様である。図７のステップＳ４２〜Ｓ４９と同様に、ドアオープン信号を受信した時点で縮小画像表示が必要な表示領域に対して縮小画像表示を行う（ステップＳ１０２〜Ｓ１０９）。
【００９６】
ここで、図６の下段に例示するように非表示である領域が複数存在するような状態となっていることを前提に説明する。ステップＳ１０９に続き、中央演算処理部２７は操作部２２からの第２の消去解除操作を待つ（ステップＳ１１０）。ユーザは、全領域で再表示しても問題ないと判断した場合、操作部２２に設けた再表示ボタン（図示せず）を押下する。この再表示ボタンは上述の第２の消去解除操作の一例に該当し、別途情報として表示装置１に表示させておいてもよい。なお、第２の消去解除操作とは、単に操作部２２として設けたマウスを動かすだけにしておいてもよい。
【００９７】
中央演算処理部２７はその押下操作を受け付け、これに基づいて、情報処理装置２は、再表示ボタンが押下されたと判断すると（ステップＳ１１０のＹＥＳ）、全ての非表示領域（縮小画像表示領域）の情報を再表示させ（ステップＳ１１３）、処理を完了する。一方、ステップＳ１１０でＮＯの場合、図７のステップＳ５３，Ｓ５４と同様に画面ロックが指示されているか否かを判定し（ステップＳ１１１）、ドアオープン信号の途切れを待つ（ステップＳ１１２）。但し、ステップＳ１１１で画面ロックが指示されている場合にはステップＳ１１０に戻る。そして、ステップＳ１１２でＮＯの場合、ステップＳ１１３へ進む。なお、ステップＳ１１０とステップＳ１１１との間に、ステップＳ５０〜Ｓ５３の処理を実行してもよい。
【００９８】
本実施形態では、ドアの開閉状態に関係なくユーザが特定の操作を行うことによって全ての領域について再表示を行うことができるので、ユーザが複数の領域の全てを再表示させたい場合に、領域毎に個別に再表示の指示を行う必要がなくなり、操作を簡略化できる。
【００９９】
（実施形態７）
図１５は、本発明の他の実施形態に係る情報表示システムの構成例を示す概略図である。また、図１６は、図１５の情報表示システムの構成例を示すブロック図で、図１５における情報処理装置の内部構成例を示すブロック図である。なお、図１６で例示する表示装置１、情報処理装置２は、図２で例示した構成と同様であり、情報処理装置２において、通信コネクタ２６にドアセンサ３の代わりにカードリーダ３１が接続された点が異なるだけである。
【０１００】
上述した各実施形態１〜６では、開閉検出手段としてドアの開閉状態を検出できるだけのドアセンサ３を用いたが、本発明の他の実施形態として、企業などにおいて会議室に設けたカード認証機能を利用してもよい。そのため、本実施形態に係る情報表示システム（以下、第２システムという）は、上述した表示装置１及び情報処理装置２の他に、カードリーダ３１及び電子錠３２を備えるものとする。
【０１０１】
カードリーダ３１は、次の認証装置の一例である。この認証装置は、会議室の外側のドア表面又は会議室の外側のドア近辺（例えばドア横の壁面）に設置され、個人の識別情報（個人ＩＤ情報）が記録された媒体からその識別情報を読取って認証を実行する装置である。ここで、識別情報の比較による認証自体は、情報処理装置２で実行する構成でも、他の情報処理装置で実行するような構成でもよい。また、媒体の例としては、電子カードなどが挙げられるが、単にバーコードをプリントしたカードなど他の媒体であってもよい。電子錠３２は、その認証が成功した場合のみドアの錠を解除する解錠手段の一例である。
【０１０２】
そして、本実施形態の開閉検出手段は、認証装置の認証結果を検出結果として情報処理装置２に送信する手段、或いは解錠手段の解錠結果を検出結果として情報処理装置２に送信する手段である。
【０１０３】
図１７は、図１５及び図１６の情報表示システムにおける表示消去処理の一例を説明するためのフロー図である。上述のごとき構成をもつ本システムにおいて実行される表示消去処理の流れを説明する。ここで説明する流れは、実施形態１に対応した、全画面に対する縮小画像表示を行うものであるが、他の実施形態２〜６の処理も同様に適用できる。
【０１０４】
まず、外部から会議室に入室しようとする人物が、会議室外側に設けられたカードリーダ３１に対し、個人ＩＤ情報が記憶された電子カードを挿入するかかざす。これにより、カードリーダ３１はその個人ＩＤ情報を得て、読み取り得た個人ＩＤ情報に基づいて認証処理を実行する（ステップＳ１２１）。カードリーダ３１は、読み取った個人ＩＤ情報での認証が失敗した場合、電子錠３２を解除せず（ステップＳ１２２のＮＯ）、ドアは閉じられたままの状態となり（ステップＳ１２３）、処理を終了する。
【０１０５】
一方、認証が成功した場合、カードリーダ３１はドアに設けられた電子錠３２を解除すると共に（ステップＳ１２２のＹＥＳ）、ドアロック解除信号を、情報処理装置２へ送信する（ステップＳ１２４）。これに対し、中央演算処理部２７が、通信コネクタ２６及び通信インタフェース２５を介してこのドアロック解除信号を受信する（ステップＳ１２５）。
【０１０６】
中央演算処理部２７は、ドアロック解除信号を受信すると、図３のステップＳ２〜Ｓ４のごとき処理を実行する。すなわち、図４の上段の例に示すような画面全体の内容の情報１１ａを記憶部２８に格納し（ステップＳ１２６）、画面全体を消去すると共に（ステップＳ１２７）、図４の下段の情報１１ｂに例示するような画面全体の縮小画像を作成して、画面隅に表示する（ステップＳ１２８）。以降の処理は、図３のステップＳ５以降の処理が実行される。
【０１０７】
このように、本実施形態では、カードリーダ３１によってドアの電子錠が解除されると、ドアロック解除信号が情報処理装置２に送信され、情報処理装置２は、ドアロック解除信号を受信すると、その時点で表示装置１上に表示中の画面全体の内容の情報を記憶部２８に格納して画面全体を消去する。外部からドアロックが解除されたことに応じて画面が消去されることにより、会議出席者が途中退出する際に内側からドアを開けることによる、不必要な画面消去動作を回避することができる。
【０１０８】
（実施形態８）
図１８は、図１５及び図１６の情報表示システムにおける表示消去処理の他の例を説明するためのフロー図である。実施形態７では、電子カード等の記録媒体（記憶媒体）に格納された個人ＩＤ情報を解錠するか否かの認証だけに用いたが、本発明の他の実施形態として、表示消去処理を実行すべきか否かの判定もこの個人ＩＤ情報を用いて行ってもよい。
【０１０９】
そのため、本実施形態に係る情報処理装置２は、認証装置で認証された個人が、現在、会議室への入室予定がある入室者であるか否かを判定する判定手段を有する。そして、表示消去手段は、判定手段の判定結果が入室予定がない入室者であると判定された場合のみ、消去を含む処理（格納・消去・縮小画像表示等）を実行するものとする。
【０１１０】
上述のごとき構成をもつ本システムにおいて実行される表示消去処理の流れを説明する。ここで説明する流れは、実施形態１に対応した、全画面に対する縮小画像表示を行うものであるが、他の実施形態２〜６の処理も同様に適用できる。
【０１１１】
まず、外部から会議室に入室しようとする人物が、会議室外側に設けられたカードリーダ３１に対し、個人ＩＤ情報が記憶された電子カードを挿入するかかざす。これにより、カードリーダ３１はその個人ＩＤ情報を得て、読み取り得た個人ＩＤ情報に基づいて認証処理を実行する（ステップＳ１４１）。カードリーダ３１は、読み取った個人ＩＤ情報での認証が失敗した場合、電子錠３２を解除せず（ステップＳ１４２のＮＯ）、ドアは閉じられたままの状態となり（ステップＳ１４３）、処理を終了する。
【０１１２】
一方、認証が成功した場合、カードリーダ３１はドアに設けられた電子錠３２を解除すると共に（ステップＳ１４２のＹＥＳ）、ドアロック解除信号及び個人ＩＤ情報を、情報処理装置２へ送信する（ステップＳ１４４）。これに対し、中央演算処理部２７が、通信コネクタ２６及び通信インタフェース２５を介してこのドアロック解除信号及び入室者の個人ＩＤ情報を受信する（ステップＳ１４５）。
【０１１３】
中央演算処理部２７は、ドアロック解除信号及び入室者の個人ＩＤ情報を受信すると（ステップＳ１４５）、入室者のＩＤ情報と、記憶部２８又はネットワーク接続可能な他の情報処理装置に予め格納しておいた会議出席予定者のＩＤリストとを比較する（ステップＳ１４６）。比較の結果、入室者が会議出席予定者と一致すると判定した場合（ステップＳ１４７のＹＥＳ）、中央演算処理部２７は、機密漏洩防止のための画面消去等の処理を行うことなく、本処理を終了する。
【０１１４】
一方、入室者が会議出席予定者と一致しないと判定された場合には（ステップＳ１４７のＮＯ）、図３のステップＳ２〜Ｓ４のごとき処理を実行する。すなわち、図４の上段の例に示すような画面全体の内容の情報１１ａを記憶部２８に格納し（ステップＳ１４８）、画面全体を消去すると共に（ステップＳ１４９）、図４の下段の情報１１ｂに例示するような画面全体の縮小画像を作成して、画面隅に表示する（ステップＳ１５０）。以降の処理は、図３のステップＳ５以降の処理が実行される。
【０１１５】
このように、本実施形態では、入室時にカードリーダ３１で入室者のＩＤをチェックし、予め設定済みの出席予定者に含まれないと判断された場合（すなわち入室者がセキュリティ上問題ある場合）のみ、画面消去及び縮小画像の作成と表示を行う。入室時にカードリーダ３１で入室者のＩＤをチェックし、予め設定済みの出席予定者に含まれないと判断された場合のみ画面消去することができるので、出席予定者によるドアロック解除による、不必要な画面消去動作を回避することができる。
【０１１６】
また、以上の各実施形態１〜８の説明において、表示装置１の画面全体（或いは画面の一部）に表示する情報としては、経時的に変更される情報であってもよい。すなわち表示装置１に表示される情報は、静止画像としてではなく動画像として表示されるものであってもよい。但し、その場合、表示消去手段は、記憶部２８への格納する情報として、現在の表示状況を示す設定情報（例えば放送チャンネル等）を格納し、再表示手段はその設定情報を読み出して再表示すればよい。これにより同じ放送チャンネルの放送を再度表示させることができる。また、動画像の縮小画像を表示する場合には、フレーム毎に縮小処理を施して順次、表示装置１へ表示させればよい。
【０１１７】
また、本発明は、上述の各実施形態で説明した処理プログラムとしての形態も採用できる。この処理プログラムは、表示消去手段で説明した処理を実行するプログラム（すなわちコンピュータを表示消去手段として機能させるためのプログラム）を少なくとも含み、設定手段、再表示手段、消去指示受付手段、解除指示受付手段、判定手段で説明した処理を実行するためのプログラムも含めることが好ましい。このようなプログラムは、コンピュータ読み取り可能な記録媒体に記録することで流通させたり、ネットワーク経由で配信して流通させるとよい。本発明の機能を実現するためのプログラムやデータを記憶した記録媒体としては、具体的には、各種のＣＤ，ＭＯ（光磁気ディスク），ＤＶＤ，ＦＤ，フラッシュメモリや、その他各種ＲＯＭやＲＡＭ等が想定できる。そして、情報処理装置に、上述のごとくの記録媒体を装着してその処理プログラムを記憶させ、必要に応じてこれを読み出すことで、本発明に係わる表示消去機能を実現することができる。
【図面の簡単な説明】
【０１１８】
【図１】本発明の一実施形態に係る情報表示システムの構成例を示す概略図である。
【図２】図１の情報表示システムの構成例を示すブロック図で、図１における情報処理装置の内部構成例を示すブロック図である。
【図３】図１及び図２の情報表示システムにおける表示消去処理の一例を説明するためのフロー図である。
【図４】図３の表示消去処理の実行前後の画面例を示す図である。
【図５】図１及び図２の情報表示システムにおける表示消去処理の他の例を説明するためのフロー図である。
【図６】図５の表示消去処理の実行前後の画面例を示す図である。
【図７】図１及び図２の情報表示システムにおける表示消去処理の他の例を説明するためのフロー図である。
【図８】図７の表示消去処理の実行前後の画面例を示す図である。
【図９】図７における表示消去処理の領域設定処理で表示される領域設定ダイアログの例を示す図である。
【図１０】図７における表示消去処理の領域設定処理の一例を説明するためのフロー図である。
【図１１】図１０における領域設定処理で表示される領域設定ダイアログの他の例を示す図である。
【図１２】図１０の処理で領域区分け処理が実行された結果の画面例を示す図で、図７の表示消去処理の実行前後の画面例を示す図である。
【図１３】図１及び図２の情報表示システムにおける表示消去処理の他の例を説明するためのフロー図である。
【図１４】図１及び図２の情報表示システムにおける表示消去処理の他の例を説明するためのフロー図である。
【図１５】本発明の他の実施形態に係る情報表示システムの構成例を示す概略図である。
【図１６】図１５の情報表示システムの構成例を示すブロック図で、図１５における情報処理装置の内部構成例を示すブロック図である。
【図１７】図１５及び図１６の情報表示システムにおける表示消去処理の一例を説明するためのフロー図である。
【図１８】図１５及び図１６の情報表示システムにおける表示消去処理の他の例を説明するためのフロー図である。
【符号の説明】
【０１１９】
１…表示装置、２…情報処理装置、３…ドアセンサ、２０…表示装置用コネクタ、２１…表示インタフェース、２２…操作部、２３…ＬＡＮコネクタ、２４…ＬＡＮインタフェース、２５…通信インタフェース、２６…通信コネクタ、２７…中央演算処理部、２８…記憶部、２９…画面ロック指示部、３１…カードリーダ、３２…電子錠。
【図１】
2009042644.tif 000003
【図２】
2009042644.tif 000004
【図３】
2009042644.tif 000005
【図４】
2009042644.tif 000006
【図５】
2009042644.tif 000007
【図６】
2009042644.tif 000008
【図７】
2009042644.tif 000009
【図８】
2009042644.tif 000010
【図９】
2009042644.tif 000011
【図１０】
2009042644.tif 000012
【図１１】
2009042644.tif 000013
【図１２】
2009042644.tif 000014
【図１３】
2009042644.tif 000015
【図１４】
2009042644.tif 000016
【図１５】
2009042644.tif 000017
【図１６】
2009042644.tif 000018
【図１７】
2009042644.tif 000019
【図１８】
2009042644.tif 000020